(57)【要約】【課題】安全面、使用面で優れた電気掃除機を提供する。【解決手段】塵埃を吸引するためのファンモータ２と、塵埃を吸引する吸い込み具に連通し、塵埃を捕集するための集塵室３と、ファンモータ２への塵埃侵入を防止するためのフィルター４と、フィルター４を保持し、ファンモータ２近傍の集塵室壁面に保持されたフィルター枠５を備えた本体１において、フィルター枠５に回転自在に形成され、ファンモータ２の吸引力により、回動する遮蔽板を備えることにより、本体１停止時は遮蔽板がファンモータ２への通路が閉塞させるため、直接ファンモータ２に触れて怪我をするという危険性を防止できる。【選択図】図１
2010035783.tif 000002
【特許請求の範囲】
【請求項１】
塵埃を吸引するためのファンモータと、塵埃を吸引するための吸い込み具と、前記吸い込み具に連通し、塵埃を捕集するための集塵室と、前記ファンモータへの塵埃侵入を防止するためのフィルターと、前記フィルターを保持し、前記ファンモータ近傍の前記集塵室壁面に保持されたフィルター枠と、前記フィルター枠に回転自在に形成され、前記ファンモータの吸引力により回動して前記集塵室と前記ファンモータとを連通する遮蔽板を備えた電気掃除機。
【請求項２】
遮蔽板は、ファンモータ側の面に吸音材を配設した請求項１記載の電気掃除機。
【発明の詳細な説明】
【技術分野】
【０００１】
本発明は一般家庭で使用される電気掃除機に関するもので、特に安全性および使用性に関するものである。
【背景技術】
【０００２】
従来の電気掃除機を、図５を用いて説明する。
【０００３】
図５に示す電気掃除機は、本体に塵埃を吸引するためのファンモータ９と、塵埃を吸引する吸い込み具に連通し、塵埃を捕集するための集塵室１０と、ファンモータ９への塵埃侵入を防止するためのフィルター１１と、フィルター１１を保持し、ファンモータ９近傍の集塵室１０壁面に保持されるフィルター枠１２を備えている（例えば、特許文献１参照）。
【特許文献１】特開２００６−１４９７７４号公報
【発明の開示】
【発明が解決しようとする課題】
【０００４】
しかしながら、上記従来の電気掃除機の構成では、フィルター枠１２上の通気口からファンモータ９に対して開口されており、フィルター１１を付け忘れた状態ではフィルター枠１２の通気口からファンモータ９を触る危険性があった。
【０００５】
また、ファンモータ９から生じる耳障りな高周波音がフィルター枠１２の通気口を通って直接外部に抜けるため、うるさくて使用性が悪いという問題点があった。
【課題を解決するための手段】
【０００６】
上記課題を解決するために本発明は、塵埃を吸引するためのファンモータと、塵埃を吸引するための吸い込み具と、前記吸い込み具に連通し、塵埃を捕集するための集塵室と、前記ファンモータへの塵埃侵入を防止するためのフィルターと、前記フィルターを保持し、前記ファンモータ近傍の前記集塵室壁面に保持されたフィルター枠と、前記フィルター枠に回転自在に形成され、前記ファンモータの吸引力により回動して前記集塵室と前記ファンモータとを連通する遮蔽板を備えたことにより、本体停止時は遮蔽板がファンモータへの通路が閉塞させるため直接ファンモータに触れて怪我をするという危険性を防止できる。
【０００７】
また、運転時にはファンモータの吸引力により遮蔽板が回動することにより通気可能となるとともに、遮蔽板が傾斜することにより、ファンモータから発生する耳障りな高周波音を遮ることができるため、使用性に優れた電気掃除機を提供することができる。
【発明の効果】
【０００８】
本発明は、安全性、使用性に優れた電気掃除機を提供することができる。
【発明を実施するための最良の形態】
【０００９】
第１の発明は、塵埃を吸引するためのファンモータと、塵埃を吸引するための吸い込み具と、前記吸い込み具に連通し、塵埃を捕集するための集塵室と、前記ファンモータへの塵埃侵入を防止するためのフィルターと、前記フィルターを保持し、前記ファンモータ近傍の前記集塵室壁面に保持されたフィルター枠と、前記フィルター枠に回転自在に形成され、前記ファンモータの吸引力により回動して前記集塵室と前記ファンモータとを連通する遮蔽板を備えたことにより、本体停止時は遮蔽板がファンモータへの通路が閉塞させるため、直接ファンモータに触れて怪我をするという危険性を防止できる。
【００１０】
また、運転時にはファンモータの吸引力により遮蔽板が回転することにより通気可能となるとともに、遮蔽板が傾斜することにより、ファンモータから発生する耳障りな高周波音を遮ることができるため、使用性に優れた電気掃除機を提供することができる。
【００１１】
第２の発明は、特に第１の発明において、遮蔽板は、ファンモータ側の面に吸音材を配設したことにより、ファンモータから発生する耳障りな高周波音を吸収させることができるため、低騒音で使用性に優れた電気掃除機を提供することができる。
【００１２】
（実施の形態１）
本発明の第１の実施の形態について図１〜図４を用いて説明する。
【００１３】
図１〜図４において、１は塵埃を吸引するためのファンモータ２と、塵埃を吸引する吸い込み具（図示せず）に連通し、塵埃を捕集するための集塵室３と、ファンモータ２への塵埃侵入を防止するためのフィルター４と、フィルター４近傍に、ファンモータ２近傍の集塵室３壁面に保持されたフィルター枠５を備えた本体である。フィルター枠５には回動自在に形成され、ファンモータ２の吸引力により、回動する複数の遮蔽板６を備えている。遮蔽板６は、ファンモータ２の非動作時においては、図１に示すようにフィルター枠５の通気口を閉塞させるように構成されている。
【００１４】
また、遮蔽板６のファンモータ２側の面には吸音材７を貼り付けている。
【００１５】
以上のように構成された電気掃除機について、図１〜図４を用いてその動作、作用を説明する。
【００１６】
フィルター４の清掃等により、万が一前記フィルター４を付け忘れた場合でも、図１、２に示すように遮蔽板６により、ファンモータ２を完全に覆い隠すため、子供がファンモータ２に指を入れて怪我をするという危険性を防止でき、安全性に優れた電気掃除機を提供することができる。
【００１７】
また、運転時にはファンモータ２の吸引力により遮蔽板６が図３に示すように傾斜することにより、ファンモータ２から発生する耳障りな高周波音を遮ることができるため、使用性に優れた電気掃除機を提供することができる。
【００１８】
また、図４に示すように遮蔽板６のファンモータ２側の面に吸音材７を配設することにより、ファンモータ２から発生する耳障りな高周波音を吸収させることができるため、低騒音で使用性に優れた電気掃除機を提供することができる。
【産業上の利用可能性】
【００１９】
以上のように、本発明にかかる電気掃除機は安全面、使用面に優れた極めて有用なものである。
【図面の簡単な説明】
【００２０】
【図１】本発明の実施の形態１を示す電気掃除機の要部断面図
【図２】同電気掃除機の要部断面図
【図３】同電気掃除機の要部断面図
【図４】同電気掃除機の要部断面図
【図５】従来の電気掃除機の要部断面図
【符号の説明】
【００２１】
１  本体
２  ファンモータ
３  集塵室
４  フィルター
５  フィルター枠
６  遮蔽板
７  吸音材
【図１】
2010035783.tif 000003
【図２】
2010035783.tif 000004
【図３】
2010035783.tif 000005
【図４】
2010035783.tif 000006
【図５】
2010035783.tif 000007